(57)【特許請求の範囲】
【請求項１】
段ボール板からなる包装箱本体と、この包装箱本体の内部において被包装物を保護する段ボール板からなる緩衝体およびこの緩衝体の上に載せられる段ボール板からなる付属品トレーとを用い、付属品を受ける付属品トレーの上から包装箱本体側のフラップの板部で覆い、この上から取り扱い説明書が載せられた状態で上蓋となる包装箱本体側のフラップを閉じて被包装物を包装するように構成した包装構造であって、前記緩衝体は被包装物を載せて受けるための平面形状が矩形の底板部と、この底板部の下側に空間部を作るへく底板部の１組の対向側辺に連設された１組の板部と、この板部の下端に板部の外面に下端部内面が重なるように連設された１組の立ち上がり側板部と、前記底板部の他の組の対向側辺に連設された他の組の立ち上がり側板部と、前記１組の立ち上がり側板部の内、一方の立ち上がり側板部の上端に連設された上板部とを備えており、前記他の組の立ち上がり側板部はそれぞれ前記底板部の他の組の対向側辺に連設された外側側板部と、この外側側板部の上端に細幅状の板部を介して外側側板部の内側に位置するように連設された内側側板部とを備え、内側側板部の幅方向における両端近傍部には前記１組の立ち上がり側板部の両端近傍部に上端より下向きに適当長さ形成されたスリットに係合するスリットが下端より上向きに適当長さ形成されており、前記１組の立ち上がり側板部の両端近傍部においてスリットに対し各内側側板部のスリットを係合させることにより１組の立ち上がり側板部と他の組の立ち上がり側板部が組み合わさり、且つ他の組の立ち上がり側板部の外側側板部と内側側板部との間に緩衝用空間部が形成されるように構成し、前記１組の立ち上がり側板部の内、一方の立ち上がり側板部の上端に上板部が連設され、この上板部は一方の立ち上がり側板部の上端より少し下側の位置で一方の立ち上がり側板部に対し連設され、この上板部の先端部には他方の立ち上がり側板部の上端に形成された差し込み片に係合する差し込み孔部が形成されていることを特徴とする包装構造。
【発明の詳細な説明】
【０００１】
【発明の属する技術分野】
本発明は、例えばビデオカメラなどの被包装物を発泡スチロールからなる緩衝体を使用することなく包装する包装構造に関するものである。
【０００２】
【従来の技術】
従来から、ビデオカメラなどの被包装物を包装する場合、一般に発泡スチロールからなる緩衝体が使用されている。ところが、発泡スチロールからなる緩衝体は焼却処理することにより高温になり、焼却炉を傷めるという問題があることから、最近では発泡スチロールからなる緩衝体に代わって段ボール板で作られた緩衝体が要望されている。
【０００３】
【発明が解決しようとする課題】
本発明はこのような課題を解決するもので、段ボール板で作られた緩衝体を用い、ビデオカメラなどの被包装物を効率良く包装することのできる包装構造を提供することを目的とするものである。
【０００４】
【課題を解決するための手段】
この課題を解決するために本発明は、段ボール板からなる包装箱本体と、この包装箱本体の内部において被包装物を保護する段ボール板からなる緩衝体およびこの緩衝体の上に載せられる段ボール板からなる付属品トレーとを用い、付属品を受ける付属品トレーの上から包装箱本体側のフラップの板部で覆い、この上から取り扱い説明書が載せられた状態で上蓋となる包装箱本体側のフラップを閉じて被包装物を包装するように構成した包装構造であって、前記緩衝体は被包装物を載せて受けるための平面形状が矩形の底板部と、この底板部の下側に空間部を作るへく底板部の１組の対向側辺に連設された１組の板部と、この板部の下端に板部の外面に下端部内面が重なるように連設された１組の立ち上がり側板部と、前記底板部の他の組の対向側辺に連設された他の組の立ち上がり側板部と、前記１組の立ち上がり側板部の内、一方の立ち上がり側板部の上端に連設された上板部とを備えており、前記他の組の立ち上がり側板部はそれぞれ前記底板部の他の組の対向側辺に連設された外側側板部と、この外側側板部の上端に細幅状の板部を介して外側側板部の内側に位置するように連設された内側側板部とを備え、内側側板部の幅方向における両端近傍部には前記１組の立ち上がり側板部の両端近傍部に上端より下向きに適当長さ形成されたスリットに係合するスリットが下端より上向きに適当長さ形成されており、前記１組の立ち上がり側板部の両端近傍部においてスリットに対し各内側側板部のスリットを係合させることにより１組の立ち上がり側板部と他の組の立ち上がり側板部が組み合わさり、且つ他の組の立ち上がり側板部の外側側板部と内側側板部との間に緩衝用空間部が形成されるように構成し、前記１組の立ち上がり側板部の内、一方の立ち上がり側板部の上端に上板部が連設され、この上板部は一方の立ち上がり側板部の上端より少し下側の位置で一方の立ち上がり側板部に対し連設され、この上板部の先端部には他方の立ち上がり側板部の上端に形成された差し込み片に係合する差し込み孔部が形成されていることを要旨とするものである。
【０００５】
この構成により、段ボール板で作られた緩衝体を用い、ビデオカメラなどの被包装物を効率良く包装することのできる包装構造を提供することができる。特に、本発明は包装箱本体の内部においてビデオカメラなどの被包装物を保護する段ボール板からなる緩衝体と、この緩衝体の上に載せられる段ボール板からなる付属品トレーとを用い、付属品を受ける付属品トレーの上から包装箱本体側のフラップの板部で覆い、この上から取り扱い説明書が載せられた状態で上蓋となる包装箱本体側のフラップを閉じて被包装物の包装を完了するものであり、さらに詳しくは前記緩衝体周りで緩衝作用を発揮するような空間部が存在することにより、被包装物の包装状態において誤って落下が生じても緩衝作用を発揮し、被包装物を安全に保護することができる。
【０００６】
【発明の実施の形態】
以下、本発明の実施の形態について、図面に基づいて説明する。
先ず、図１〜図１３に示す第１の実施の形態について説明すると、１は段ボール板からなる包装箱本体で、この包装箱本体１は２組の対向側板２，２、３，３と、この対向側板２，２、３，３の下端に連設された底板形成用フラップ４，４、５，５と、対向側板２，２、３，３の上端に連設されたフラップ６，６、７，７とを備えて平面形状が矩形に作られている。さらに詳しくは、前記底板形成用フラップ４，４、５，５は互いに組み合わせることにより底板を形成することができる構成となっている。また、前記対向側板２，２、３，３の上端に連設されたフラップ６，６、７，７の内、短辺側の対向側板３，３の上端に連設されるフラップ７，７は短辺側の対向側板３，３の上端部内面に重なる板部７ａ，７ａと、この板部７ａ，７ａに直角に折れ曲がるように連設された板部７ｂ，７ｂとからなり、長辺側の対向側板２，２の上端に連設されるフラップ６，６の内、一方のフラップ６は一方の長辺側の側板２の上端部内面に重なる板部６ａと、この板部６ａに直角に折れ曲がるように連設され前記板部７ｂ，７ｂ上に載る板部６ｂとからなり、フラップ６，６の内、他方のフラップ６は包装箱本体１の上端全体を覆う大きさとなっていて上蓋となり、この他方のフラップ６の先端には一方の長辺側の側板２と一方のフラップ６の前記板部６ａとの連設部に形成された差し込み孔部８に差し込まれる差し込み片９が連設され、またこの他方のフラップ６と差し込み片９との連設部に形成された差し込み孔部１０に差し込まれる差し込み片１１が前記一方の長辺側の側板２と前記板部６ａとの連設部にまたがって切り込みを入れることにより形成されている。
【０００７】
１２は前記包装箱本体１の内部に例えばビデオカメラなどの被包装物１３を保護した状態で収納するための段ボール板からなる緩衝体で、この緩衝体１２は袋に入れられた被包装物１３を載せて受けるための平面形状が矩形、詳しくは長方形の底板部１４と、この底板部１４の下側に空間部を作るへく底板部１４の長辺側の対向側辺に連設された１組の板部１５，１５と、この板部１５，１５の下端に板部１５，１５の外面に下端部内面が重なるように連設された１組の立ち上がり側板部１６，１６と、前記底板部１４の短辺側の対向側辺に連設された他の組の立ち上がり側板部１７，１７と、前記１組の立ち上がり側板部１６，１６の内、一方の立ち上がり側板部１６の上端に連設された上板部１８とを備えている。さらに詳しくは、前記他の組の立ち上がり側板部１７，１７はそれぞれ前記底板部１４の短辺側の対向側辺に直接連設された外側側板部１９と、この外側側板部１９の上端に細幅状の板部２０を介して外側側板部１９の内側に位置するように連設された内側側板部２１とを備え、内側側板部２１の幅方向における両端近傍部には前記１組の立ち上がり側板部１６，１６の両端近傍部に上端より下向きに適当長さ形成されたスリット２２，２２に係合するスリット２３，２３が下端より上向きに適当長さ形成されており、前記１組の立ち上がり側板部１６，１６の両端近傍部においてスリット２２，２２に対し各内側側板部２１のスリット２３，２３を係合させることにより１組の立ち上がり側板部１６，１６と他の組の立ち上がり側板部１７，１７が組み合わさり、且つ他の組の立ち上がり側板部１７の外側側板部１９と内側側板部２１との間に緩衝用空間部２４が形成される。つまり、前記１組の立ち上がり側板部１６，１６のスリット２２，２２の位置は１組の立ち上がり側板部１６，１６の両端より前記板部２０の幅と同幅分おかれて設定され、前記スリット２２，２２に対しスリット２３，２３を係合させることにより前記外側側板部１９と内側側板部２１とが互いに平行な状態を保ち、外側側板部１９と内側側板部２１との間に緩衝用空間部２４が形成されることになる。また、前記底板部１４の長辺側の対向側辺に連設された１組の板部１５，１５の下端には長さ方向中央部に切り抜き孔２５，２５が形成され、また前記底板部１４の長さ方向両端部で前記外側側板部１９との連設部の位置で底板部１４に角型の切り込みを入れて外側側板部１９を立てたときに角型の切り込みで囲まれる板部２６が外側側板部１９と一体に下向きとなり、前記板部１５，１５および１組の立ち上がり側板部１６，１６の下端とともに板部２６の下端が前記包装箱本体１の底板形成用フラップ４，４、５，５で形成される底板上に載ることになる。また、前記１組の立ち上がり側板部１６，１６の内、一方の立ち上がり側板部１６の上端に連設された上板部１８は一方の立ち上がり側板部１６の上端より少し下側の位置で一方の立ち上がり側板部１６に対し連設され、この上板部１８の先端部には他方の立ち上がり側板部１６の上端に形成された差し込み片２７に係合する差し込み孔部２８が形成されている。そして、上板部１８が一方の立ち上がり側板部１６の上端より少し下側の位置で連設されていることから、上板部１８の先端の差し込み孔部２８を他方の立ち上がり側板部１６の上端の差し込み片２７に係合させて閉じた状態において、上板部１８の連設部における一方の立ち上がり側板部１６の上端は切り欠き状態となり、また他方の立ち上がり側板部１６の差し込み片２７の形成部両側は切り欠き状態となり、さらに前記外側側板部１９を立てて底板部１４の長さ方向両端部の角型の切り込みで囲まれる板部２６が下向きとなった状態において、底板部１４の長さ方向両端部の角型の切り込みで囲まれる部分は開口状態となる。１８ａは前記差し込み孔部２８の両側位置で上板部１８の先端に連設された折り曲げ片で、この折り曲げ片１８ａは上板部１８を閉じた状態において前記他方の立ち上がり側板部１６の上端内面に重なるようになっている。さらに、前記内側側板部２１のスリット２３，２３間で挟まれる部分は前記底板部１４上に載り、スリット２３の外側部分は前記包装箱本体１の底板上に載ることになる。
【０００８】
２９は前記包装箱本体１の内部で緩衝体１２の上に載せられコード、リモコン、アダプターなどの付属品３０を受けるための段ボール板からなる付属品トレーで、この付属品トレー２９は付属品３０を受ける平面形状が矩形、詳しくは長方形の底板部３１と、この底板部３１の長辺側の対向側辺に連設された１組の側板部３２，３２と、この側板部３２，３２の上端に連設された上板部３３，３３と、前記底板部３１に切り込みで囲まれる部分を立て起こすことにより形成され上端より下向きに適当長さ形成されたスリット３４を備えた仕切り板部３５と、前記底板部３１の短辺側の対向側辺に連設され先端近傍に前記スリット３４に係合するスリット３６，３６を備えた仕切り板部３７，３７とからなり、前記仕切り板部３５のスリット３４と仕切り板部３７，３７のスリット３６，３６を係合させることにより底板部３１上に形成された３つの収納部に付属品３０を収納した状態において前記上板部３３，３３を閉じるようになっている。なお、前記各上板部３３には前記側板部３２との連設部近傍に切り抜き孔３３ａが形成されている。
【０００９】
上記構成において、前記包装箱本体１の内部に例えばビデオカメラなどの被包装物１３を保護した状態で収納するとき、先ず袋に入れられた被包装物１３を前記緩衝体１２の底板部１４上に載せて緩衝体１２で包み、これを包装箱本体１の内部に収納する。次に、緩衝体１２の上から前記付属品３０を包む付属品トレー２９を載せ、その上から前記包装箱本体１のフラップ７，７の板部７ｂ，７ｂで覆い、この板部７ｂ，７ｂの上から前記包装箱本体１の一方のフラップ６の板部６ｂが重なり、この板部６ｂ上に取り扱い説明書３８が載せられた後、前記他方のフラップ６を閉じて前記差し込み孔部８に対する差し込み片９の差し込み、および前記差し込み孔部１０に対する差し込み片１１の差し込みにより他方のフラップ６の閉塞状態を保持するようになっている。
【００１０】
なお、被包装物１３を包んだ緩衝体１２は前記板部１５，１５および１組の立ち上がり側板部１６，１６の下端とともに板部２６の下端が包装箱本体１の底板形成用フラップ４，４、５，５で形成される底板上に載り、前記立ち上がり側板部１７の外側側板部１９の外面が包装箱本体１の短辺側の対向側板３，３の内面に当接し、立ち上がり側板部１７の外側側板部１９、板部２０および内側側板部２１の幅方向における両端が包装箱本体１の長辺側の対向側板２，２の内面に当接し、包装箱本体１の底板上面と底板部１４の下面との間に空間部が形成され、包装箱本体１の長辺側の対向側板２，２の内面と立ち上がり側板部１６，１６の外面との間に空間部が形成され、さらに前記緩衝体１２の上に載る付属品トレー２９は前記底板部３１の短辺側の対向側辺との連設部における仕切り板部３７，３７の外面が包装箱本体１の短辺側の対向側板３，３の内面に当接し、前記側板部３２，３２の外面が包装箱本体１の長辺側の対向側板２，２の内面に当接し、この付属品トレー２９の底板部３１の下面と前記緩衝体１２の上板部１８の上面との間に空間部が形成され、被包装物１３の包装状態において誤って落下が生じても緩衝体１２周りでの空間部の存在により緩衝作用を発揮し、被包装物１３を安全に保護することができる。さらに詳しくは、前記緩衝体１２において、上板部１８の連設部における一方の立ち上がり側板部１６の上端は切り欠き状態となり、また他方の立ち上がり側板部１６の差し込み片２７の形成部両側は切り欠き状態となり、さらに前記外側側板部１９を立てて底板部１４の長さ方向両端部の角型の切り込みで囲まれる板部２６が下向きとなった状態において、底板部１４の長さ方向両端部の角型の切り込みで囲まれる部分は開口状態となることから、これらの箇所において被包装物１３の落下時における衝撃緩和効果が得られる。また、前記付属品トレー２９においても前記各上板部３３に形成されている切り抜き孔３３ａの存在により被包装物１３の落下時における衝撃緩和効果が得られる。つまり、被包装物１３を取り巻く材料（段ボール板）に適所において逃げ孔を作っておくことにより、衝撃緩和効果が向上するものである。
【００１１】
次に、第２の実施の形態について説明すると、この第２の実施の形態において使用される包装箱本体１、付属品トレー２９は前記第１の実施の形態と同様であるのでその詳細説明を省略するが、前記緩衝体１２に代えて図１４および図１５に示すような緩衝体３９を用いた。この第２の実施の形態の緩衝体３９の構成は基本的には前記第１の実施の形態の緩衝体１２とほぼ同様であるが、第１の実施の形態の緩衝体１２と異なる点は、底板部１４の長さ方向両端部に切り込みがなく、また外側側板部１９と、この外側側板部１９の上端に細幅状の板部２０を介して外側側板部１９の内側に位置するように連設された内側側板部２１とからなる他の組の立ち上がり側板部１７，１７の内、一方の立ち上がり側板部１７の上端が他方の立ち上がり側板部１７の上端ならびに１組の立ち上がり側板部１６，１６の上端よりも低く構成され、この緩衝体３９の中に収納された被包装物１３の先端部（例えばレンズ部）１３ａを一方の立ち上がり側板部１７の上端で受けるようにしてあり、また前記底板部１４と１組の立ち上がり側板部１６，１６を繋ぐ１組の板部１５，１５の下端には長さ方向中央部に切り抜き孔４０，４０が形成され、この切り抜き孔４０，４０の形成により捨てられる材料を利用して底板部１４から下向きに折れ曲がる板部４１ａ，４１ｂを連設し、一方の板部４１ａと他方の板部４１ｂの上下方向の長さを異ならし、また緩衝体３９の上端を覆う上板部がなく、１組の立ち上がり側板部１６，１６の上端には先端が包装箱本体１の長辺側の対向側板２，２の内面に当接する板部４２，４２を連設し、さらに１組の立ち上がり側板部１６，１６と板部４２，４２との連設部に切り抜き部４３，４３を形成するとともに板部４２，４２の先端にも切り欠き部４４，４４を形成して、この緩衝体３９を包装箱本体１の中に収めたとき、板部４２，４２の先端が部分的に長辺側の対向側板２，２の内面に当接するようになっている。他の構成は前記第１の実施の形態と同様である。
【００１２】
従って、この第２の実施の形態の緩衝体３９を用いて包装箱本体１の内部に例えばビデオカメラなどの被包装物１３を保護した状態で収納するとき、先ず被包装物１３を前記緩衝体３９の底板部１４上に載せて緩衝体３９で包み、これを包装箱本体１の内部に収納する。次に、上端が開口する緩衝体３９の上から付属品３０を包む付属品トレー２９を載せ、その上から前記包装箱本体１のフラップ７，７の板部７ｂ，７ｂで覆い、この板部７ｂ，７ｂの上から前記包装箱本体１の一方のフラップ６の板部６ｂが重なり、この板部６ｂ上に取り扱い説明書３８が載せられた後、前記他方のフラップ６を閉じて前記差し込み孔部８に対する差し込み片９の差し込み、および前記差し込み孔部１０に対する差し込み片１１の差し込みにより他方のフラップ６の閉塞状態を保持する。
【００１３】
このような包装状態において、誤って落下が生じても緩衝体３９周りでの空間部の存在により緩衝作用を発揮し、被包装物１３を安全に保護することができる。特に、１組の立ち上がり側板部１６，１６と板部４２，４２との連設部に切り抜き部４３，４３が形成され、板部４２，４２の先端にも切り欠き部４４，４４が形成されて、板部４２，４２の先端が部分的に長辺側の対向側板２，２の内面に当接するようになっていることから、上下方向ならびに側方向から受ける衝撃緩和効果が向上する。さらに、被包装物１３が携帯式のビデオカメラである場合、ビデオカメラ本体に設けられる取っ手用ベルトが存在することにより、ビデオカメラを緩衝体３９の底板部１４上に載せたとき底板部１４の中心ではなく左右何れかに偏った状態で載せられ、重量バランスが取れていないことが多いが、そのような場合でも前述のように前記一方の板部４１ａと他方の板部４１ｂの上下方向の長さを異ならしてあることにより、長さの長い一方の板部４１ａ側にビデオカメラ本体を位置させることにより、落下時における緩衝作用を発揮する。
【００１４】
【発明の効果】
以上のように本発明によれば、段ボール板で作られた緩衝体を用い、ビデオカメラなどの被包装物を効率良く包装することのできる包装構造を提供することができる。特に、本発明は包装箱本体の内部においてビデオカメラなどの被包装物を保護する段ボール板からなる緩衝体と、この緩衝体の上に載せられる段ボール板からなる付属品トレーとを用い、付属品を受ける付属品トレーの上から包装箱本体側のフラップの板部で覆い、この上から取り扱い説明書が載せられた状態で上蓋となる包装箱本体側のフラップを閉じて被包装物の包装を完了するものであり、さらに詳しくは前記緩衝体周りで緩衝作用を発揮するような空間部が存在することにより、被包装物の包装状態において誤って落下が生じても緩衝作用を発揮し、被包装物を安全に保護することができる。
【図面の簡単な説明】
【図１】本発明の第１の実施の形態における包装箱本体の展開図である。
【図２】同包装箱本体の組み立て状態を示す斜視図である。
【図３】同緩衝体の展開図である。
【図４】同緩衝体を組み立てて上板部を開き被包装物を収納する状態を示す斜視図である。
【図５】同緩衝体の上板部を閉じた状態を示す斜視図である。
【図６】同付属品トレーの展開図である。
【図７】同付属品トレーの組み立て途中の状態を示す斜視図である。
【図８】同付属品トレーに付属品を載せた状態を示す斜視図である。
【図９】同包装箱本体内に被包装物を収納した緩衝体と付属品を載せた付属品トレーを入れた状態を示す斜視図である。
【図１０】同包装箱本体内の付属品トレーの上から包装箱本体側のフラップの板部で覆いこの上から取り扱い説明書を載せた状態を示す斜視図である。
【図１１】同包装箱本体の上蓋となるフラップを閉じた状態を示す斜視図である。
【図１２】図１１のＸ−Ｘ断面図である。
【図１３】図１１のＹ−Ｙ断面図である。
【図１４】本発明の第２の実施の形態における緩衝体の展開図である。
【図１５】同緩衝体に被包装物を収納した状態を示す斜視図である。
【符号の説明】
１              包装箱本体
２，３          対向側板
４，５          底板形成用フラップ
６，７          フラップ
６ａ，６ｂ      板部
７ａ，７ｂ      板部
８              差し込み孔部
９              差し込み片
１０              差し込み孔部
１１              差し込み片
１２              緩衝体
１３              被包装物
１３ａ            先端部
１４              底板部
１５              板部
１６              １組の立ち上がり側板部
１７              他の組の立ち上がり側板部
１８              上板部
１９              外側側板部
２０              板部
２１              内側側板部
２２，２３        スリット
２４              緩衝用空間部
２５              切り抜き孔
２６              板部
２７              差し込み片
２８              差し込み孔部
２９              付属品トレー
３０              付属品
３１              底板部
３２              側板部
３３              上板部
３３ａ            切り抜き孔
３４              スリット
３５              仕切り板部
３６              スリット
３７              仕切り板部
３９              緩衝体
４０              切り抜き孔
４１ａ，４１ｂ    板部
４２              板部
４３              切り抜き部
４４              切り欠き部
【図１】
0003587244.tif 000002
【図２】
0003587244.tif 000003
【図３】
0003587244.tif 000004
【図４】
0003587244.tif 000005
【図５】
0003587244.tif 000006
【図６】
0003587244.tif 000007
【図７】
0003587244.tif 000008
【図８】
0003587244.tif 000009
【図９】
0003587244.tif 000010
【図１０】
0003587244.tif 000011
【図１１】
0003587244.tif 000012
【図１２】
0003587244.tif 000013
【図１３】
0003587244.tif 000014
【図１４】
0003587244.tif 000015
【図１５】
0003587244.tif 000016